(57)【要約】　　　（修正有）【課題】収納部から迅速に部品箱体を取り出すことができる部品収納ケースを提供する。【解決手段】容器体２及び該容器体の開口部を開閉可能な蓋体３からなる複数個の部品箱体１と、該複数個の部品箱体を該蓋体を出し入れ側に配置して個別に着脱自在に収納可能な複数個の収納部６を有する携帯ケース体５とからなり、該収納部に係止部７を設けると共に該部品箱体に該係止部及び使用者の腰ベルトに係脱可能な弾性係止部８を設け、該蓋体を該容器体に閉口係止可能な閉口係止部４を設けてなり、上記弾性係止部に上記部品箱体の出し入れ側で該係止部と該弾性係止部との係止を解除可能な解除部９を設けてなる。【選択図】　　　　図２
2004001167.tif 000002
【特許請求の範囲】
【請求項１】
容器体及び該容器体の開口部を開閉可能な蓋体からなる複数個の部品箱体と、該複数個の部品箱体を該蓋体を出し入れ側に配置して個別に着脱自在に収納可能な複数個の収納部を有する携帯ケース体とからなり、該収納部に係止部を設けると共に該部品箱体に該係止部及び使用者の腰ベルトに係脱可能な弾性係止部を設け、該蓋体を該容器体に閉口係止可能な閉口係止部を設けてなり、上記弾性係止部に上記部品箱体の出し入れ側で該係止部と該弾性係止部との係止を解除可能な解除部を設けて構成したことを特徴とする部品収納ケース。
【請求項２】
上記蓋体を上記弾性係止部と反対側の上記容器体の開口周縁部に位置するヒンジ部により開閉自在に設けて構成したことを特徴とする請求項１記載の部品収納ケース。
【請求項３】
上記閉口係止部として、上記容器体に係止受部を形成し、上記蓋体に操作部を摺動自在に設けると共に該操作部に該係止受部に係脱可能な係脱部を形成し、該操作部に該係脱部と該係止受部とを係止させる係止用バネ部を設けてなることを特徴とする請求項１又は２記載の部品収納ケース。
【請求項４】
上記収納部の内壁に窓穴を形成してこの窓穴の内端面を上記係止部に形成し、上記弾性係止部の先端部に該係止部に係脱可能な係止凸部を形成してなることを特徴とする請求項１〜３のいずれか１項に記載の部品収納ケース。
【請求項５】
上記収納部の開口部側に係止部を突設し、上記弾性係止部の上部寄りに該係止部に係脱可能な段状の係止段部を形成してなることを特徴とする請求項１〜３のいずれか１項に記載の部品収納ケース。
【発明の詳細な説明】
【０００１】
【発明の属する技術分野】
本発明は例えば電気工事、電話工事、建築工事等の各種の現場工事の際に用いられる部品収納ケースに関するものである。
【０００２】
【従来の技術】
従来この種の部品収納ケースとして、例えば、特開平１０−２９１１７５号公報に示す如く、容器体及び容器体の開口部を開閉可能な蓋体からなる複数個の部品箱体と、複数個の部品箱体を蓋体を出し入れ側に配置して個別に着脱自在に収納可能な複数個の収納部を有する携帯ケース体とからなり、この収納部に係止部を設けると共に部品箱体に係止部及び使用者の腰ベルトに係脱可能な弾性係止部を設け、蓋体を該容器体に閉口係止可能な閉口係止部を設けてなる構造のものが知られている。
【０００３】
しかして、複数個の部品箱体内に例えば、ねじ類、ナット類、パーツ類などの部品を収納し、この複数個の部品箱体を携帯ケース体の収納部にそれぞれ収納し、この部品箱体を収納した状態で携帯ケース体を使用場所に携帯し、使用場所において、携帯ケース体を部品箱体を上にして横に倒して載置し、作業内容に応じた必要な部品箱体を収納部から取り外し、この部品箱体を腰ベルトに装着し、そして、この腰ベルトに装着した部品箱体の蓋体を開き、容器体内の部品を取出して使用することになる。
【０００４】
【発明が解決しようとする課題】
しかしながら上記従来構造の場合、上記部品箱体と収納部とは、収納部の底側部に窓穴状の係止部を設けると共に部品箱体に収納部の底側部の係止部に係脱可能な板バネ状の弾性係止部を設けることにより着脱自在に構成されているので、部品箱体を収納部に収納することによりそのまま弾性係止部は係止部に係止して部品箱体を収納部に離脱を防いで収納することができるものの、部品箱体を収納部から取り外すときには、携帯ケース体を裏返しに倒し、携帯ケース体の裏側から弾性係止部を持ち上げて弾性係止部を係止部から外し、この係止解除状態を保持したまま部品箱体を収納部から引いて取り出すことになり、このため、部品箱体の取出が厄介であり、それだけ作業性が低下することがあるという不都合を有している。
【０００５】
【課題を解決するための手段】
本発明はこのような不都合を解決することを目的とするもので、本発明のうちで、請求項１記載の発明は、容器体及び該容器体の開口部を開閉可能な蓋体からなる複数個の部品箱体と、該複数個の部品箱体を該蓋体を出し入れ側に配置して個別に着脱自在に収納可能な複数個の収納部を有する携帯ケース体とからなり、該収納部に係止部を設けると共に該部品箱体に該係止部及び使用者の腰ベルトに係脱可能な弾性係止部を設け、該蓋体を該容器体に閉口係止可能な閉口係止部を設けてなり、上記弾性係止部に上記部品箱体の出し入れ側で該係止部と該弾性係止部との係止を解除可能な解除部を設けて構成したことを特徴とする部品収納ケースにある。
【０００６】
又、請求項２記載の発明は、上記蓋体を上記弾性係止部と反対側の上記容器体の開口周縁部に位置するヒンジ部により開閉自在に設けて構成したことを特徴とするものであり、又、請求項３記載の発明は、上記閉口係止部として、上記容器体に係止受部を形成し、上記蓋体に操作部を摺動自在に設けると共に該操作部に該係止受部に係脱可能な係脱部を形成し、該操作部に該係脱部と該係止受部とを係止させる係止用バネ部を設けてなることを特徴とするものであり、又、請求項４記載の発明は、上記収納部の内壁に窓穴を形成してこの窓穴の内端面を上記係止部に形成し、上記弾性係止部の先端部に該係止部に係脱可能な係止凸部を形成してなることを特徴とするものであり、又、請求項５記載の発明は、上記収納部の開口部側に係止部を突設し、上記弾性係止部の上部寄りに該係止部に係脱可能な段状の係止段部を形成してなることを特徴とするものである。
【０００７】
【発明の実施の形態】
図１乃至図１０は本発明の実施の形態例を示し、図１乃至図７は実施の第一形態例、図８乃至図１０は第二形態例である。
【０００８】
図１乃至図７の第一形態例において、１は部品箱体であって、プラスチック製にして、複数個形成され、容器体２及び容器体２の開口部２ａを開閉可能な蓋体３からなり、この蓋体３をヒンジ部１０により開閉自在に枢着すると共に容器体２に閉口係止可能な閉口係止部４を設けている。
【０００９】
５は携帯ケース体であって、プラスチック製にして、上記複数個の部品箱体１を蓋体３を出し入れ側に配置して個別に着脱自在に収納可能な複数個の凹部状の収納部６が形成され、かつ、肩下ベルトＳを止着可能な吊下穴５ａ及び持手部５ｂを形成している。
【００１０】
そして、上記収納部６の内壁６ａに窓穴７ａを形成し、この窓穴７ａの内端面を係止部７に形成すると共に部品箱体１に係止部７及び使用者の腰ベルトＢに係脱可能な弾性係止部８を弾性接続部８ａを介して形成し、かつ、上記弾性係止部８に先端部に係止凸部８ｂを形成すると共に弾性係止部８の基部に上記部品箱体１の出し入れ側で係止部７と弾性係止部８との係止を解除可能な解除部９を設け、携帯ケース体５の上面壁に弾性係止部８が挿脱可能な窓穴状の挿通穴５ｃを形成し、しかして、部品箱体１を収納部６内に収納するときには挿通穴５ｃを介して挿入されて弾性係止部８は収納部６の内壁６ａを容器体２の外面とで挟着するように弾性接続部８ａにより外方に向けて反り弾性し、収納完了時において、弾性係止部８の係止凸部８ｂは窓穴７ａに弾性復元により没入し、係止凸部８ｂと係止部７とにより携帯ケース体５からの部品箱体５の離脱を防ぐことになり、又、部品箱体５を取り出すときには、解除部９を部品箱体１の出し入れ側から内方に向けて押圧することにより弾性接続部８ａにより弾性係止部８を外方に向けて強制的に反り弾性させ、係止部７と弾性係止部８との係止を解除し、この解除状態で部品箱体１を収納部６から抜き取るように構成している。
【００１１】
又、この場合、上記蓋体３を弾性係止部８と反対側の上記容器体２の開口周縁部に位置するヒンジ部１０により開閉自在に設けている。
【００１２】
又、この場合、上記閉口係止部４として、上記容器体２に係止受部２ｂを形成し、上記蓋体３の上面に嵌合凹部３ｂを形成し、嵌合凹部３ｂ内に操作部１１を、蓋体３に形成したガイド凸部３ｂと操作部１１に形成したガイド凹溝１１ｃとにより摺動自在に設けると共に操作部１１に指掛溝１１ｄを形成し、かつ、蓋体３の一方端部に上記係止受部２ｂに係脱可能な係脱部１１ａを形成し、係脱部１１ａと反対側の操作部１１の他方端部に係脱部１１ａと係止受部２ｂとを係止させる板バネ状の係止用バネ部１１ｂを設け、係止用バネ部１１ｂを嵌合凹部３ｂの対向する内面３ｃに弾圧接触させ、この係止用バネ部１１ｂと内面３ｃとの弾圧接触により操作部１１を摺動させて係脱部１１ａと係止受部２ｂとを嵌合して蓋体３の閉口させ、又、指掛部１１ｄに指を掛けて係止用バネ部１１ｂに抗して操作部１１を引動させることにより係脱部１１ａを係止受部２ｂから抜き外し、この状態で蓋体３をヒンジ部１０により開口するように構成している。
【００１３】
この実施の第一形態例は上記構成であるから、複数個の部品箱体１内に例えば、ねじ類、ナット類、パーツ類などの部品を収納し、この複数個の部品箱体１を携帯ケース体５の収納部６にそれぞれ収納し、図６の如く、複数個の部品箱体１を収納した状態で携帯ケース体５を使用場所に携帯し、使用場所において、携帯ケース体５を部品箱体１を上にして横に倒して載置し、作業内容に応じた必要な部品箱体１を収納部６から取り外し、図７の如く、この部品箱体１を使用者の腰ベルトＢに装着し、腰ベルトＢに装着した部品箱体１の蓋体３を閉口係止部４を解除して開き、そして、容器体２内の部品を取出して使用することになり、この際、上記弾性係止部８に上記部品箱体１の出し入れ側で係止部７と弾性係止部８との係止を解除可能な解除部９を設けているので、部品箱体１を収納部６に収納することによりそのまま弾性係止部８は係止部７に係止して部品箱体１を収納部６に離脱を防いで収納することができると共に、部品箱体１を収納部６から取り外すときには、解除部９により上記部品箱体１の出し入れ側から係止部７と弾性係止部８との係止を解除することにより取り外すことができ、携帯ケース体５を裏返しに倒して携帯ケース体５の裏側から弾性係止部８を持ち上げて弾性係止部８を係止部７から外すことがなくなり、このため、部品箱体１の取出を迅速に行うことができ、それだけ利便性を高めることができると共に作業性を向上することができる。
【００１４】
又、この場合、上記蓋体３を上記弾性係止部８と反対側の上記容器体２の開口周縁部に位置するヒンジ部１０により開閉自在に設けているから、部品箱体１を腰ベルトＢに装着し、腰ベルトＢに装着した部品箱体１の蓋体３を開けて容器体２内の部品を取り出すとき、図７の如く、蓋体２は腰と反対側のヒンジ部１０により外方に向けて開くことになり、このため、開けた蓋体に邪魔されずに容器体２内の部品を視認することができ、容器体２内の部品の視認性を高めることができると共に容易に部品を取り出すことができ、作業性を一層高めることができ、又、この場合、上記閉口係止部４として、上記容器体２に係止受部２ｂを形成し、上記蓋体３に操作部１１を摺動自在に設けると共に操作部１１に係止受部２ｂに係脱可能な係脱部１１ａを形成し、操作部１１に係脱部１１ａと係止受部２ｂとを係止させる係止用バネ部１１ｂを設けているから、操作部１１を摺動させることにより係止受部２ｂと係脱部１１ａとの係止を解除して蓋体２を開くことができ、かつ、蓋体２を閉じると、係止用バネ部１１ｂにより係止受部２ｂと係脱部１１ａとが係止し、蓋体２の不測の開きを防ぐことができ、容器体２からの部品の落下を防ぐことができ、使用の快適性を高めることができ、又、この場合、上記収納部６の内壁に窓穴７ａを形成してこの窓穴７ａの内端面を上記係止部７に形成し、上記弾性係止部８の先端部に係止部７に係脱可能な係止凸部８ｂを形成してなるから、係止部７と係止凸部８ｂとにより部品箱体２の収納部６に対する取り付け及び取り外しを容易に行うことができる。
【００１５】
図８乃至図１０の第二形態例は別例構造を示し、この場合、上記収納部６の開口部側に二個の係止部７・７を挿通穴５ｃを略Ｔ状にして間隔をおいて突設し、弾性係止部８の上部寄りに係止部７に係脱可能な段状の係止段部８ｃを形成して構成している。
【００１６】
この第二形態例にあっては、係止部７と係止段部８ｃとにより部品箱体２の収納部６に対する係脱構造を簡素化することができる。
【００１７】
尚、本発明は上記実施の形態例に限られるものではなく、部品箱体１、携帯ケース体５の構造や形状、閉口係止部４の構造等は適宜変更して設計される。
【００１８】
【発明の効果】
本発明は上述の如く、請求項１記載の発明にあっては、上記弾性係止部に上記部品箱体の出し入れ側で係止部と弾性係止部との係止を解除可能な解除部を設けているので、部品箱体を収納部に収納することによりそのまま弾性係止部は係止部に係止して部品箱体を収納部に離脱を防いで収納することができると共に、部品箱体を収納部から取り外すときには、解除部により上記部品箱体の出し入れ側から係止部と弾性係止部との係止を解除することにより取り外すことができ、携帯ケース体を裏返しに倒して携帯ケース体の裏側から弾性係止部を持ち上げて弾性係止部を係止部から外すことがなくなり、このため、部品箱体の取り出しを迅速に行うことができ、それだけ利便性を高めることができると共に作業性を向上することができる。
【００１９】
又、請求項２記載の発明にあっては、上記蓋体を上記弾性係止部と反対側の上記容器体の開口周縁部に位置するヒンジ部により開閉自在に設けているから、部品箱体を腰ベルトに装着し、腰ベルトに装着した部品箱体の蓋体を開けて容器体内の部品を取り出すとき、蓋体は腰と反対側のヒンジ部により外方に向けて開くことになり、このため、開けた蓋体に邪魔されずに容器体内の部品を視認することができ、容器体内の部品の視認性を高めることができると共に容易に部品を取り出すことができ、作業性を一層高めることができ、又、請求項３記載の発明にあっては、上記閉口係止として、上記容器体に係止受部を形成し、上記蓋体に操作部を摺動自在に設けると共に操作部に係止受部に係脱可能な係脱部を形成し、操作部に係脱部と係止受部とを係止させる係止用バネ部を設けているから、操作部を摺動させることにより係止受部と係脱部との係止を解除して蓋体を開くことができ、かつ、蓋体を閉じると、係止用バネ部により係止受部と係脱部とが係止し、蓋体の不測の開きを防ぐことができ、容器体からの部品の落下を防ぐことができ、使用の快適性を高めることができ、又、請求項４記載の発明にあっては、上記収納部の内壁に窓穴を形成してこの窓穴の内端面を上記係止部に形成し、上記弾性係止部の先端部に係止部に係脱可能な係止凸部を形成してなるから、係止部と係止凸部とにより部品箱体の収納部に対する取り付け及び取り外しを容易に行うことができ、又、請求項５記載の発明にあっては、上記収納部の開口部側に係止部を突設し、弾性係止部の上部寄りに係止部に係脱可能な段状の係止段部を形成しているから、係止部と係止段部とにより部品箱体の収納部に対する係脱構造を簡素化することができる。
【００２０】
以上の如く、所期の目的を充分達成することができる。
【図面の簡単な説明】
【図１】本発明の実施の第一形態例の斜視図である。
【図２】本発明の実施の第一形態例の部分断面図である。
【図３】本発明の実施の第一形態例の部分平面図である。
【図４】本発明の実施の第一形態例の部分断面図である。
【図５】本発明の実施の第一形態例の部分斜視図である。
【図６】本発明の実施の第一形態例の使用状態図である。
【図７】本発明の実施の第一形態例の使用状態の部分断面図である。
【図８】本発明の実施の第二形態例の部分断面図である。
【図９】本発明の実施の第二形態例の部分平面図である。
【図１０】本発明の実施の第二形態例の部分断面図である。
【符号の説明】
Ｂ　腰ベルト
１　部品箱体
２　容器体
３　蓋体
４　閉口係止部
５　携帯ケース体
６　収納部
７　係止部
８　弾性係止部
８ｂ　係止凸部
８ｃ　係止段部
９　解除部
１０　ヒンジ部
１１　操作部
１１ａ　係脱部
１１ｂ　係止用バネ部
【図１】
2004001167.tif 000003
【図２】
2004001167.tif 000004
【図３】
2004001167.tif 000005
【図４】
2004001167.tif 000006
【図５】
2004001167.tif 000007
【図６】
2004001167.tif 000008
【図７】
2004001167.tif 000009
【図８】
2004001167.tif 000010
【図９】
2004001167.tif 000011
【図１０】
2004001167.tif 000012